(57)【要約】【課題】容器内の飲料の香りを放出するために十分な大きさの開口部を有する一方で、蓋に向かって跳ね上がる容器内の飲料の外部への飛散や漏れを確実に阻止することができ、飲料を飲みながら十分な香りも楽しむことができる飲料容器の蓋の提供。【解決手段】頂壁１３は、連通孔２４を有する飲み口２５と、飲み口２５の近傍に配置される香気口３６とを含む。香気口３６は、頂壁１３の水平面と略直交する垂直面に沿って延びるよう形成された貫通孔からなる垂直香気孔３５を有する。垂直香気孔により、容器部１内の飲料の香気を外部に放散し、かつ、飲料の飛散を防止する。【選択図】図１
2010274965.tif 000002
【特許請求の範囲】
【請求項１】
容器の上端縁に取付けられる外周縁部と、
前記外周縁部の内側に設けられる主要部とを備え、
前記主要部は、貫通孔としての連通孔を有する飲み口と、前記飲み口の近傍に配置されて前記主要部の内部空間と外部空間とを連通する貫通孔としての香気口とを含み、
前記主要部の香気口は、少なくとも、
前記主要部の水平面と略直交する面に沿って延びるよう形成された貫通孔からなる垂直香気孔、または、
前記主要部の水平面と略直交する面以外の面に沿って延びるよう形成された貫通孔からなる第１の非垂直香気孔と、前記第１の非垂直香気孔より上方位置で、かつ、前記第１の非垂直香気孔と水平方向に完全にずらした位置に配置され、前記主要部の水平面と略直交する面以外の面に沿って延びるよう形成された貫通孔からなる第２の非垂直香気孔との組み合わせ、
のいずれか一方を有することを特徴とする飲料容器の蓋。
【請求項２】
前記主要部は、前記外周縁部から上方に立ち上がる周壁と、前記周壁の上端から水平方向に延びる頂壁とを有して、前記外周縁部に一体形成される略キャップ状をなし、
前記主要部の飲み口は、前記外周縁部の第１の位置の近傍に配置されて前記頂壁から下方に窪む凹部状の空間を形成し、
前記主要部の香気口は、前記飲み口から前記外周縁部の第１の位置と直径方向に反対側となる第２の位置に向かって延びるよう配置されて前記頂壁から下方に窪む凹部状の空間を形成し、
前記香気口は、少なくとも、略垂直方向に垂下すると共に前記垂直香気孔を有する香気孔壁と、前記香気孔壁の下端から前記頂壁に向かって上方に傾斜して延びる傾斜壁とを含むことを特徴とする請求項１記載の飲料容器の蓋。
【請求項３】
前記香気口は、前記頂壁における飲み口側の端縁から前記頂壁の中央部に向かって下方に延びる前壁部と、前記頂壁における飲み口と反対側の端縁から前記頂壁の中央部に向かって下方に延びる後壁部と、前記前壁部及び後壁部の幅方向両端をそれぞれ連結する一対の側壁とを有して、前記垂直香気孔を前記頂壁の中央部に配置した凹部状をなすと共に、前記後壁部の後端の幅を前記前壁部の前端の幅より小さくして、平面視で前記飲み口側から前記外周縁部の第２の位置に向かって徐々に幅狭となるようにしたことを特徴とする請求項１記載の飲料容器の蓋。
【請求項４】
更に、前記外周縁部または前記主要部の外周部のいずれかに一体的に連結して設けたキャップ部を備え、
前記キャップ部は、連結部、香気口閉塞部及び飲み口閉塞部を長さ方向に順に配置して一体形成したものであり、
前記キャップ部の連結部は、前記外周縁部または前記主要部の外周部のいずれか一方と前記香気口閉塞部とを一体的に連結し、
前記キャップ部の香気口閉塞部は、前記主要部の香気口に着脱自在に装着されて前記香気口の全体を閉塞するキャップ状をなし、
前記キャップ部の飲み口閉塞部は、前記香気口閉塞部の他端に一体的に連結されると共に、前記主要部の飲み口に着脱自在に装着されて前記飲み口の全体を閉塞するキャップ状をなすことを特徴とする請求項２または３記載の飲料容器の蓋。
【発明の詳細な説明】
【技術分野】
【０００１】
本発明は、使い捨てコーヒーカップ等の開口を覆う飲料容器の蓋に関する。
【背景技術】
【０００２】
従来、飲料容器の蓋として、例えば、特許文献１に記載のコップ用蓋または特許文献２に記載の飲料用容器の蓋がある。これらは、容器に収容された飲料の香りを容器外へ放出させることができる構造を提案している。具体的には、前記コップ用蓋は、蓋の中心部に円形の貫通孔からなる香り放散用開口部を設けている。また、前記飲料用容器は、香り放出口を一体的に連続形成した大型の楕円孔からなる飲み口を蓋に形成し、または、十字状の切断線を重合させた菊花弁状の飲み口及び香り放出口を蓋に別個に形成している。
【先行技術文献】
【特許文献】
【０００３】
【特許文献１】特開２００２−２４０８４１号公報
【特許文献２】特開２００３−１１２７８４号公報
【発明の概要】
【発明が解決しようとする課題】
【０００４】
しかし、前記コップ用蓋の開口部は、ある程度の大きさの単一開口で、容器内の飲料に向かって直線的に延びるため、容器内の飲料が上方に跳ね上がるとそのまま開口部から外部に飛散してしまう。前記飲料用容器の蓋の飲み口に一体化された放出口も、蓋を単に切除しただけの開口であり、容器内の飲料と直接対向するため、容器内の飲料が蓋に向かって跳ね上がると放出口から外部に飛散する。一方、別個に設けた菊花弁状の放出口の場合は、容器内の飲料と対向するのが十字状の切断線であるため、容器内の飲料の飛散は防止できると思われるが、逆に、容器内の飲料の香りが通過する開口が線状となって非常に小さくなり、容器内の香りを殆ど外部に放出できないと考えられる。
【０００５】
そこで、本発明は、容器内の飲料の香りを放出するために十分な大きさの開口部を有する一方で、蓋に向かって跳ね上がる容器内の飲料の外部への飛散や漏れを確実に阻止することができ、飲料を飲みながら十分な香りも楽しむことができる飲料容器の蓋の提供を課題とする。
【課題を解決するための手段】
【０００６】
請求項１に係る飲料容器の蓋は、容器の上端縁に取付けられる外周縁部と、前記外周縁部の内側に（好ましくは上方に起立して）設けられる主要部とを備える。前記主要部は、（当該主要部の一部を貫通する）貫通孔としての連通孔を有する飲み口と、（好ましくは前記飲み口の近傍に配置されて）前記主要部の内部空間と外部空間とを連通する貫通孔としての香気孔を有する香気口とを含む。前記主要部の香気口は、少なくとも、垂直香気孔、または、第１の非垂直香気孔及び第２の非垂直香気孔の組み合わせ、のいずれか一方を有する。前記垂直香気孔は、前記主要部の基準面である水平面と略直交する面に沿って延びるよう形成された略垂直方向に延びる貫通孔からなる。即ち、垂直香気孔は、孔の上端と下端が垂直面上、または、蓋や容器の軸と平行な面上にあり、直上から目視したときに孔の形状が確認できない、即ち、飲料容器の蓋を取付けたときに容器部内の飲料と直接対向・対面することがなく、容器部から直上等に跳ね上がった飲料が外部に飛散しない構造の貫通孔となる。一方、第１の非垂直香気孔は、前記主要部の水平面（基準面）と略直交する面以外の面（水平面と平行な面、または、水平面若しくは垂直面と９０度以外の角度で交差する面）に沿って延びるよう形成された貫通孔からなると共に、第２の非垂直香気孔は、前記第１の非垂直香気孔より上方位置で、かつ、前記第１の非垂直香気孔と水平方向に完全にずらした位置（直上から見て全く重ならない位置）に配置され、前記主要部の基準面と略直交する面以外の面（前記水平面等）に沿って延びるよう形成された貫通孔からなる。
【０００７】
請求項２に係る飲料容器の蓋は、請求項１の構成において、前記主要部が、前記外周縁部から上方に立ち上がる周壁と、前記周壁の上端から水平方向に延びる頂壁とを有して、前記外周縁部に一体形成される略キャップ状をなす。前記主要部の飲み口は、前記外周縁部の第１の位置の近傍に配置されて前記頂壁から下方に窪む凹部状の空間を形成する。前記主要部の香気口は、前記飲み口から前記外周縁部の第１の位置と直径方向に反対側となる第２の位置に向かって（好ましくはその近傍まで）延びるよう配置されて前記頂壁から下方に窪む凹部状の空間を形成する。前記香気口は、香気孔壁と、傾斜壁とを含む。香気孔壁は、少なくとも、略垂直方向に垂下すると共に前記垂直香気孔を（好ましくは下端部に）有する。香気孔壁は、好ましくは、垂直香気孔の下端がその下端に一致するよう形成する。傾斜壁は、前記香気孔壁の下端から前記頂壁に向かって上方に傾斜して延びる。
【０００８】
請求項３に係る飲料容器の蓋は、請求項１の構成において、前記香気口を、前壁部、後壁部及び一対の側壁部により構成している。前壁部は、前記頂壁における飲み口側の端縁から前記頂壁の中央部に向かって下方に延びる。後壁部は、前記頂壁における飲み口と反対側の端縁から前記頂壁の中央部に向かって下方に延びる。一対の側壁は、前記前壁部及び後壁部の幅方向両端をそれぞれ連結する。そして、香気口は、前記垂直香気孔を前記頂壁の中央部に配置した凹部状をなすと共に、前記後壁部の後端の幅を前記前壁部の前端の幅より小さくして、平面視で前記飲み口側から前記外周縁部の第２の位置に向かって徐々に幅狭（テーパー状）となるようにしている。
【０００９】
請求項４に係る飲料容器の蓋は、請求項２または３の構成において、更に、前記外周縁部または前記主要部の外周部のいずれかに一体的に連結して設けたキャップ部を備える。前記キャップ部は、連結部、香気口閉塞部及び飲み口閉塞部を長さ方向に順に配置して一体形成したものである。前記キャップ部の連結部は、前記外周縁部または前記主要部の外周部のいずれか一方（好ましくは外周縁部の下縁）と前記香気口閉塞部（好ましくは、その一端）とを一体的に連結する（好ましくは、連結する帯状をなす）。前記キャップ部の香気口閉塞部は、前記主要部の香気口に着脱自在に装着されて前記香気口の全体を閉塞するキャップ状をなす（即ち、香気口の開口部分に対応する外形を有する）。前記キャップ部の飲み口閉塞部は、前記香気口閉塞部の他端に一体的に連結されると共に、前記主要部の飲み口に着脱自在に装着されて前記飲み口の全体を閉塞するキャップ状をなす（即ち、飲み口の開口部分に対応する外形を有する）。
【発明の効果】
【００１０】
請求項１に係る飲料容器の蓋は、蓋（蓋の天板部となる頂壁）に、飲み口のほかに、香気放出用の開口である香気口を設けると共に、同香気口に容器内部の飲料の飛散を防止する飛散防止手段としての垂直香気孔または第１及び第２の非垂直香気孔の組み合わせのいずれか一方を少なくとも設けたことにより、飲料容器の容器部内の飲料が香気放出用の香気口から外部に飛散することなく香気のみを十分な量で外部に放出・放散することができる。その結果、飲料容器に蓋を装着したままで、容器部内の飲料の香気を十分に外部に放散でき、かつ、飲料の外部への飛散を確実に防止することができる。
【００１１】
請求項２に係る飲料容器の蓋は、使用者が飲み口に口を付けたときに使用者の鼻に対向する位置で、使用者の鼻に対応する形状の凹部状の空間が形成されるため、飲料の香気をより強く感じさせることができる。また、傾斜壁が香気孔の下端から連続して頂壁に向かって上方に延びるため、容器部内の飲料が香気孔から飛び出た場合でも、当該飲料を傾斜壁により遮断して外部空間への飛散を防止することができ、かつ、傾斜壁に沿ってその飲料を案内して香気孔から容器部内に戻すことができる。
【００１２】
請求項３に係る飲料容器の蓋は、香気孔を中央に配置したため、容器部内で飲料が揺れた場合に飲料が中央ではなく外周側で容器の側壁に沿って上部に跳ね上がる性質から、中央の香気孔から容器部内の飲料が外部に飛散することを効果的に防止することができる。また、一対の側壁が、香気口の幅方向両端に傾斜状のスリット状となる側壁を形成するため、万一、香気孔から外部に容器部内の飲料が飛び出した場合でも、当該飲料を両側壁により囲まれる平面視テーパー状の空間により中央部の香気孔へと円滑に流動させるため、やはり、飲料が外部へ飛散することを効果的に防止することができる。なお、請求項２の場合と同様、前壁部、後壁部及び側壁からなる香気口が、使用者が飲み口に口を付けたときに使用者の鼻に対向する位置で、使用者の鼻に対応する形状の凹部状の空間を形成するため、飲料の香気をより強く感じさせることができる。具体的には、香気孔が後壁部に向かって開口する構成の場合は（後述の実施の形態１，３に相当）、後壁部が下方に向かって延びることになるため、容器部内の飲料が揺れや振動により香気孔から外部に飛び出た場合でも、当該飲料は香気孔の直後（対面位置である後方位置）に位置する後壁部により遮断され、後壁部を流動して香気孔から容器部内に円滑に戻る。また、飲料が後壁部で跳ね返って上方に飛散した場合でも、その飲料は後壁部に対向する位置にある前壁部により遮断され、前壁部を流動して香気孔から容器部内に円滑に戻る。同様に、香気孔が前壁部に向かって開口する構成の場合は（後述の実施の形態２に相当）、前壁部が下方に向かって延びることになるため、容器部内の飲料が揺れや振動により香気孔から外部に飛び出た場合でも、当該飲料は香気孔の直前（対面位置である前方位置）に位置する前壁部により遮断され、前壁部を流動して香気孔から容器内に円滑に戻る。また、飲料が前壁部で跳ね返って上方に飛散した場合でも、その飲料は前壁部に対向する位置にある後壁部により遮断され、後壁部を流動して香気孔から容器部内に円滑に戻る。
【００１３】
請求項４に係る飲料容器の蓋は、その外周縁部または主要部に一体構成のキャップ部を連結して設けることにより、非飲用時には飲み口及び香気口をその飲み口閉塞部及び香気口閉塞部により閉塞して、容器部内の飲料の外部への飛散を完全に遮断し、かつ、衛生面を向上することができる。また。請求項２または３の飲料容器の蓋は、全体を一体成形により単一構成（1ピース構造）とすることができるという利点を有するが、請求項４に係る飲料容器の蓋は、そのキャップ部が外周縁部または主要部に一体的に連結した構成であるため、外周縁部及び主要部からなる部分（通常の蓋に対応する部分）とキャップ部とを樹脂成形等により容易に一体成形することができ、やはり、全体を一体成形により単一構成（1ピース構造）とすることができるという利点を有する。
【図面の簡単な説明】
【００１４】
【図１】図１は本発明の実施の形態１の飲料容器の蓋を示す断面図である。
【図２】図２は本発明の実施の形態１の飲料容器の蓋を示す平面図である。
【図３】図３は本発明の実施の形態２の飲料容器の蓋を示す断面図である。
【図４】図４は本発明の実施の形態２の飲料容器の蓋を示す平面図である。
【図５】図５は本発明の実施の形態３の飲料容器の蓋を示す断面図である。
【図６】図６は本発明の実施の形態３の飲料容器の蓋を示す平面図である。
【図７】図７は本発明の実施の形態４の飲料容器の蓋を示す断面図である。
【図８】図８は本発明の実施の形態４の飲料容器の蓋を示す平面図である。
【図９】図９は本発明の実施の形態４のキャップ部により飲み口及び香気口を閉塞した飲料容器の蓋を示す断面図である。
【図１０】図１０は本発明の実施の形態５の下側蓋部に上側蓋部を装着した飲料容器の蓋を示す断面図である。
【図１１】図１１は本発明の実施の形態５の下側蓋部に上側蓋部を装着した飲料容器の蓋を示す平面図である。
【図１２】図１２は本発明の実施の形態５の飲料容器の下側蓋部を示す断面図である。
【図１３】図１３は本発明の実施の形態５の飲料容器の下側蓋部を示す平面図である。
【図１４】図１４は本発明の実施の形態５の飲料容器の上側蓋部を示す断面図である。
【図１５】図１５は本発明の実施の形態５の飲料容器の上側蓋部を示す平面図である。
【図１６】図１６は本発明の実施の形態５の開状態とした飲料容器の蓋を示す平面図である。
【図１７】図１７は本発明の実施の形態５の閉状態とした飲料容器の蓋を示す平面図である。
【図１８】図１８は本発明の実施の形態６の飲料容器の蓋を示す断面図である。
【図１９】図１９は本発明の実施の形態６の飲料容器の蓋を示す平面図である。
【図２０】図２０は本発明の実施の形態７の飲料容器の蓋を示す断面図である。
【図２１】図２１は本発明の実施の形態７の飲料容器の蓋を示す平面図である。
【図２２】図２２は本発明の実施の形態８の飲料容器の蓋を示す断面図である。
【図２３】図２３は本発明の実施の形態８の飲料容器の蓋を示す平面図である。
【発明を実施するための形態】
【００１５】
以下、本発明を実施するための形態（以下、実施の形態という）を説明する。なお、各実施の形態を通じ、同一の部材、要素または部分には同一の符号を付して、その説明を省略する。
【００１６】
実施の形態１：１ピース構造の第１例
図１〜図２に示すように、実施の形態１の飲料容器の蓋は、使い捨てコーヒーカップ等の飲料容器の容器部１の上端開口に着脱自在に装着される蓋である。蓋は、容器部１の上端縁に取付けられる外周縁部１１と、外周縁部１１の内側に上方に起立して設けられる主要部１２，１３とを備える。詳細には、主要部は、外周縁部１１から上方に立ち上がる周壁１２と、周壁１２の上端から水平方向に延びる頂壁１３とを有して、外周縁部１１に一体形成される略キャップ状をなす。頂壁１３は、図１及び図２に示すような立体構造をなしている。主要部１２，１３は、天板部となる頂壁１３において周壁１２の近傍の一定範囲に凹部空間状となる飲み口２５を形成している。また、主要部は、頂壁１３において飲み口２１〜２５の後端側に連続する一定範囲に凹部空間状となる香気口３６を形成している。
【００１７】
飲み口２５は、前壁２１、後壁２２、並びに、前壁２１及び後壁２２の幅方向両端をそれぞれ連結する一対の側壁２３により囲まれる凹部状の空間である。飲み口２５は、容器部１の外周縁部の第１の位置の近傍に配置されて頂壁１３から下方に窪む凹部状の空間を形成している。即ち、飲み口２５は、周壁１２側の端縁である前端付近に、頂壁１３の一部を貫通する貫通孔としての連通孔２４を形成している。詳細には、前壁２１は、頂壁１３の水平面から周壁１２と略平行に下方に垂下する。後壁２２は、頂壁１３の水平面における飲み口２５の後端から前方に向かって下方に湾曲状に傾斜して延びる。各側壁２３は、頂壁１３の水平面から連通孔２４に向かって下方に傾斜して延びる。前壁２１の下縁、後壁２２の下縁及び側壁２３の下縁は、主要部の下縁である周縁１１の下縁と面一にあり、それらの下縁が平面略横長長方形状となる連通孔２４を形成している。これにより、飲み口２５は、下方に向かって全体として縮径して延びるトランペット形状乃至ホーン形状の凹部空間となり、その下端の連通孔２４が容器部1の内部空間に連通する。したがって、容器部1内に熱い飲料を入れたときも、熱い飲料がいきなり連通孔２４から飲用者の口に入ってくることがなく、連通孔２４から、飲み口２５の凹部空間内を流れて同空間内の空気を内包しながら飲用者の口元に届く。その結果、容器内部の飲料より若干低温となった飲料を飲用者が飲むことができ、口のやけど防止に有効である。
【００１８】
香気口３６は、飲み口２５から外周縁部１１の第１の位置と直径方向に反対側となる第２の位置に向かって、その近傍まで延びるよう配置されて、頂壁１３から下方に窪む凹部状の空間を形成している。香気口３６は、主要部１２，１３の内部空間と外部空間とを連通する貫通孔としての香気孔３５を有し、飲み口２５の近傍から頂壁１３の中央部を経て反対側の外周縁部１２の近傍に至る範囲まで配置される。詳細には、香気口３６は、前壁部３１，３２，３５、後壁部３４、並びに、前壁部３１，３２，３５及び後壁部３４の幅方向両端をそれぞれ連結する一対の側壁３３により囲まれる凹部状の空間である。香気口３６は、頂壁１３の中央部付近に、頂壁１３の一部を貫通する貫通孔としての香気孔３５を形成している。詳細には、前壁部は、前垂下壁３１及び前傾斜壁３２からなる。前垂下壁３１は、頂壁１３の水平面から前記前壁２１と平行に垂下する。前傾斜壁３２は、前垂下壁３１の下端から、主要部の中央に向かって主要部の高さ方向の途中位置まで、下方に傾斜して延びる平坦な傾斜面状をなす。前傾斜壁３２の下端から、前記香気孔３５を形成した香気孔壁が、周壁１１の下縁と同一位置まで垂下する。なお、香気孔壁は、その略全体に香気孔３５が形成されるため、図１には表れない。一方、後壁部を構成する後壁３４は、頂壁１３の水平面における香気口３６の後端から前記前傾斜壁３２の下端に対向する位置まで、前方に向かって下方に傾斜して延びる平坦面状をなす。各側壁３３は、頂壁１３の水平面から、前垂下壁３１、前傾斜壁３２及び後傾斜壁３４まで垂直に延びるよう垂下する。よって、側壁３３の外形は、前垂下壁３１、前傾斜壁３２及び後傾斜壁３４の断面形状に一致する。これにより、香気口３６は、下方に向かっては同一断面（同一面積）となって延び、かつ、前端から後端に向かって縮径して延びる平面視で台形状の凹部空間となり、その下端部の香気孔３５が容器部1の内部空間に連通する。
【００１９】
ここで、香気孔３５は、本実施の形態の垂直香気孔を構成し、前傾斜壁３２の下縁と後傾斜壁３４の下縁乃至前縁との間を、一対の側壁３３間で上下垂直方向に延びる。即ち、香気孔３５は、前傾斜壁３２の下縁と後傾斜壁３４の下縁との間の間隔と同一高さで、対応する側壁３３の位置の間の間隔と同一の長さの横長長方形状の貫通孔となる。また、香気孔３５は、主要部の基準面である水平面と略直交する面（垂直面）に沿って延びるよう形成された略垂直方向に延びる貫通孔となる。即ち、香気孔３６は、孔の上端と下端が垂直面上、または、蓋や容器部１の軸と平行な面上にあり、直上から目視したときに形状が露出しない、即ち、形状を目視確認できない形状となる。したがって、香気孔３５は、飲料容器の容器部１に蓋を取付けたときに、容器部１内の飲料と直接対向・対面することがなく、容器部１から直上等に跳ね上がった飲料が外部に飛散しない構造の貫通孔となる。なお、実施の形態１では、香気口３６は、香気孔として、前記略垂直方向に延びる香気孔３５のみを有する。
【００２０】
実施の形態２：１ピース構造の第２例
図３〜図４に示すように、実施の形態２の飲料容器の蓋は、香気口４６の構造が実施の形態１のものと異なる。詳細には、香気口４６は、平面視で香気口３６とほぼ同様の外形を有し、頂壁１３において香気口３６とほぼ同様の範囲に設けられる。香気口４６は、頂壁１３から下方に窪む凹部状の空間を形成し、主要部１２，１３の内部空間と外部空間とを連通する貫通孔としての香気孔４５を有している。詳細には、香気口４６は、前壁部４１，４２、後壁部４４、並びに、前壁部４１，４２及び後壁部４４の幅方向両端をそれぞれ連結する一対の側壁４３により囲まれる凹部状の空間である。香気口４６は、頂壁１３の中央部付近に垂直香気孔としての香気孔４５を形成している。詳細には、前壁部は、前垂下壁４１及び前傾斜壁４２からなる。前垂下壁４１は、前記前垂下壁３１と同様の構成である。一方、前傾斜壁４２は、前垂下壁４１の下端から主要部の中央に向かって、周壁１１の下縁位置まで、前記前傾斜壁３２よりも更に下方に傾斜して延びる平坦な傾斜面状をなす。前傾斜壁４２の下端乃至後端は、香気孔４５の下端と合致する位置まで延びる。一方、後壁部を構成する後傾斜壁４４は、頂壁１３の水平面における香気口４６の後端から前傾斜壁４２の下端より所定間隔上方の位置まで、前方に向かって下方に傾斜して延びる平坦面状をなす。後傾斜壁４４の下端乃至前端は、香気孔４５の上端と対向する位置まで延びる。後傾斜壁４２の下端から、前記香気孔４５を形成した香気孔壁が、周壁１１の下縁と同一位置にある前傾斜壁４２の下端まで垂下する。なお、香気孔壁は、その略全体に香気孔４５が形成されるため、図３には表れない。各側壁４３は、前記側壁３３と同様、頂壁１３の水平面から、前垂下壁４１、前傾斜壁４２及び後傾斜壁４４まで垂直に延びるよう垂下する。これにより、香気口４６は、下方に向かっては同一断面（同一面積）となって延び、かつ、前端から後端に向かって縮径して延びる平面視で台形状の凹部空間となり、その下端部の香気孔４５が容器部1の内部空間に連通する。
【００２１】
実施の形態３：１ピース構造の第３例
図５〜図６に示すように、実施の形態３の飲料容器の蓋は、香気口５５の構造が実施の形態１のものと異なる。詳細には、香気口５５は、平面視で香気口３６とほぼ同様の外形を有し、頂壁１３において香気口３６とほぼ同様の範囲に設けられる。香気口５５は、頂壁１３から下方に窪む凹部状の空間を形成し、主要部１２，１３の内部空間と外部空間とを連通する貫通孔としての香気孔５４を有している。詳細には、香気口５５は、前壁部５１、後壁部５２、並びに、前壁部５１及び後壁部５２の幅方向両端をそれぞれ連結する一対の側壁５３により囲まれる凹部状の空間である。香気口５５は、頂壁１３の中央部付近に垂直香気孔としての香気孔５４を形成している。詳細には、前壁部としての前傾斜壁５１は、頂壁１３の水平面から主要部の中央に向かって、主要部の中央に向かって主要部の高さ方向の途中位置まで、下方に傾斜して延びる平坦な傾斜面状をなす。一方、後壁部を構成する後傾斜壁５２は、頂壁１３の水平面における香気口５５の後端から、前傾斜壁５１の上端と対向する位置まで、下方に傾斜して延びる平坦な傾斜面状をなす。前傾斜壁５１の下端から、香気孔５４を形成した香気孔壁が、周壁１１の下縁と同一位置にある後傾斜壁５２の下端まで垂下する。なお、香気孔壁は、その略全体に香気孔５４が形成されるため、図５には表れない。各側壁５３は、前記側壁３３と同様、頂壁１３の水平面から、前垂下壁５１及び後傾斜壁５２まで垂直に延びるよう垂下する。これにより、香気口５５は、下方に向かっては同一断面（同一面積）となって延び、かつ、前端から後端に向かって縮径して延びる平面視で台形状の凹部空間となり、その下端部の香気孔５４が容器部1の内部空間に連通する。
【００２２】
なお、実施の形態３において、前記香気口は、少なくとも、香気孔を形成する香気孔壁と、香気孔の下端から蓋の外周縁部１１に向かって上方に傾斜して延びる傾斜壁とを含む構成であればよい。また、香気孔壁は、少なくとも略垂直方向に垂下すると共に、前記垂直香気孔を好ましくは下端部に有するよう構成すればよい。また、香気孔壁は、好ましくは、垂直香気孔の下端がその下端に一致するよう形成する。また、傾斜壁は、香気孔壁の下端から頂壁１３に向かって上方に傾斜して延びればよい。
【００２３】
或いは、香気口は、前壁部、後壁部及び一対の側壁部により構成すればよい。前壁部は、頂壁における飲み口側の端縁から頂壁の中央部に向かって下方に延びるものであればよい。また、後壁部は、頂壁における飲み口と反対側の端縁から頂壁の中央部に向かって下方に延びるものであればよい。また、一対の側壁は、前壁部及び後壁部の幅方向両端をそれぞれ連結するものであればよい。そして、香気口は、垂直香気孔を頂壁の中央部に配置した凹部状をなすと共に、後壁部の後端の幅を前壁部の前端の幅より小さくして、平面視でのみ口２５側から外周縁部１１の第２の位置に向かって徐々に幅狭（テーパー状）となる凹部形状であればよい。
【００２４】
或いは、香気口は、香気口の前端（飲み口側端）で頂壁から垂下する上部垂下壁と、上部垂下壁の下端から主要部の中央に向かって下方に傾斜して延びる前傾斜壁と、前傾斜壁の下端から垂下する香気孔を有する香気孔壁と、香気孔壁の下端から上方に傾斜して後端（外周縁部の第２の位置）に向かって延びる後傾斜壁とを含む構成としてもよい。この場合、香気孔から飛散する飲料は垂直方向には跳ね上がることはないが、水平方向に飛散して放出された場合でも、後部傾斜壁に衝突してその傾斜面に沿って下方に流動し、香気孔から再度容器内部に還流する。また、飛散した飲料は、後部傾斜壁で跳ね返った場合でも、前部傾斜壁に当たって下方に案内され、前部傾斜壁で更に上方に跳ね返った場合でも、前部垂下壁に当たって下方に案内されるため、飲料が蓋の外部に飛散することは全くない。また、飲み口に対して香気口が使用者の鼻に対応する位置にあるため、飲み口に口を当てて飲料を飲むときに、飲用者の鼻先（鼻腔部分）が香気口に接近し、または、香気口内に配置されて、非常に香気孔と近い距離にくるため、使用者は飲料の香気を十分に感知して楽しむことができる。
【００２５】
実施の形態４：１ピース構造の第４例
図７〜図１０に示すように、実施の形態４の飲料容器の蓋は、実施の形態１の飲料容器の蓋にキャップ部６０を追加している。詳細には、キャップ部６０は、自在両党の合成樹脂等の弾性乃至可撓性を有する材料により、連結部６１、香気口閉塞部６２及び飲み口閉塞部６７を長さ方向に順に配置して一体形成したものである。連結部６１は、外周縁部１１の下縁と香気口閉塞部６２の一端とを一体的に連結する帯状をなす。連結部６１は、外周縁部１１の下縁から香気口３６の後端までの距離より若干大きい長さを有する。香気口閉塞部６２は、主要部の香気口３６の上端開口部分に対応する外形を有し、香気口３６に上方から着脱自在に装着されて香気口３６の全体を閉塞するキャップ状をなす。より詳細には、香気口閉塞部６２は、全体として、香気口３６の外形に対応する台形状の外形を有するキャップ状であり、前側部分を香気口３６の後傾斜壁３４の上端部分に対応する傾斜壁６３とし、傾斜壁６３が後傾斜壁３４の上端部分に当接するようにしている。また、香気口閉塞部６２は、側壁６４を香気口３６の外形に対応する台形状の外形とし、側壁６４が香気口３６の開口部内面（前垂下壁３１、側壁３３及び後傾斜壁３４の上端部）に密接して嵌合するようにしている。更に、香気口閉塞部６２は、側壁６４の下端から外方に小寸法のフランジ６５を張り出し形成し、フランジ６５が頂壁１３における香気口３６の外周縁部に当接するようにしている。
【００２６】
飲み口閉塞部６７は、香気口閉塞部６２の他端に連結部６６を介して一体的に連結される。連結部６６は、香気口閉塞部６２の下縁と飲み口閉塞部６７の下縁とを一体的に連結する短帯状をなし、下面中央に湾曲性または屈曲性を向上するための溝６６Ａを形成している。飲み口閉塞部６７は、主要部の飲み口２５の上端開口部分に対応する外形を有し、飲み口２５に上方から着脱自在に装着されて飲み口２５の全体を閉塞するキャップ状をなす。より詳細には、飲み口閉塞部６７は、全体として、飲み口２５の外形に対応する略長方形の外形を有するキャップ状であり、側壁６８を飲み口２５の外形に対応する長方形状の外形とし、側壁６８が飲み口２５の開口部内面（前壁２１、側壁２３及び後壁２２の上端部）に密接して嵌合するようにしている。更に、飲み口閉塞部６７は、側壁６８の下端から外方に小寸法のフランジ６９を張り出し形成し、フランジ６９が頂壁１３におけるのみ口２５の外周縁部に当接するようにしている。飲み口閉塞部６７の他端の下縁にはタブ状の把持部７０が後方に延びるよう一体形成されている。なお、キャップ部６０の連結部６１の一端は、外周縁部１１の下端に連結する以外に、キャップ部による開閉動作を妨げない限り、外周縁部１１のその他の部分や主要部の周壁１２や頂壁１３の外周部等に連結しても良い。即ち、キャップ部６０は、外周縁部１１または主要部１２，１３の外周部のいずれかに一体的に連結して設ければよい。
【００２７】
実施の形態４では、飲料の非飲用時には、図７に示す開位置から、把持部７０を把持してキャップ部６０を上方から前方に傾動し、香気口閉塞部６２を香気口３６に、飲み口閉塞部６７を飲み口２５に、それぞれ嵌合して装着し、図９に示すように、香気口３６及び飲み口２５を完全に閉塞する。このとき、連結部６１は、その弾性により、外周縁部６１の下縁から香気口３６の後端付近の位置まで湾曲して延びる。飲料の飲用時には、図９の閉位置から、把持部７０を把持してキャップ部６０を上方から後方に傾動し、香気口閉塞部６２を香気口３６から、飲み口閉塞部６７を飲み口２５から、それぞれ取り外して、香気口３６及び飲み口２５を完全に開放する。
【００２８】
実施の形態５：２ピース構造の第１例
図１０〜図１７に示すように、実施の形態５の飲料容器の蓋は、下方に窪む凹部状の飲み口１２５を備えている。飲み口１２５は、全体を若干湾曲面形状とした点を除き、前記飲み口２５と同様の構成であり、前壁１２１、後壁１２２、並びに、前壁１２１及び後壁１２２の幅方向両端をそれぞれ連結する一対の側壁１２３により囲まれる凹部状の空間である。飲み口１２５は、前壁１２１側に連通孔２４と同様の連通孔１２４を貫通形成している。一方、香気口１３４は、香気孔として、第１の非垂直香気孔１３３及び第２の非垂直香気孔１６１の組み合わせを採用する。詳細には、実施の形態１〜３の主要部が１ピース構成であるのに対し、実施の形態４の主要部は下側蓋部１１０及び上側蓋部１４０の２ピース構成である。下側蓋部１１０は、外周縁部１１１に周壁１１２を立ち上げ形成したキャップ状である。周壁１１２には、外方に膨らむ小フランジ状の係止リング１１３が一体形成されている。また、頂壁１１４の外周縁部には、飲み口１２５と香気口１３４を結ぶ直径方向の香気口１３４側と、その位置から時計回り方向及び反時計回り方向に９０度置いた角度位置とに、それぞれ、小半球状の係止凹部１１５を形成している。香気口１３４は、前壁１３１、後壁１３２及び一対の側壁１３３により囲まれる凹部状の空間である。前壁１３１は、香気口１３４の前端において頂壁１１４から下方に略直交して延びる。後壁１３２は、前壁１３１の下端から香気口１３４の後端における頂壁１１４まで、上方に傾斜して延びる平坦状をなす。側壁１３３は、前壁１３１及び後壁１３２の幅方向両側に配置される三角形状の板状をなす。そして、香気口１３４の第１の非垂直香気孔１３３は、後壁１３２の前端部の幅方向全体にわたって貫通形成される横長長方形状である。
【００２９】
一方、上側蓋部１４０は、周壁１１２に密接して外嵌される周壁１４１に、係止リング１１３と嵌合する係合リング１４２を一体形成している。また、周壁１４１は、略円盤状の頂壁１４３を囲むよう頂壁１４３と一体形成されている。上側蓋部１４０は下側蓋部１１０に上方から装着されるキャップ状である。また、頂壁１４３の外周縁部には、前記係止凹部１１５と整合する位置に、それぞれ、係止凹部１１５と嵌合自在な小半球状の係合突部１４５を形成している。また、頂壁１４３には上側蓋部１４０の回転方向を示す矢印状のマーク１４４が設けられている。頂壁１４３において、飲み口１２５と対応する位置には、飲み口１２４の平面形状を完全に包囲する若干大型の略長方形状をなす開口１５１が貫通形成されている。また、頂壁１４３において、香気口１３４の後端部と対応する位置には、香気口１３４の後端部より小さな直径の略星型または花形形状の第２の非垂直香気孔１６１が貫通形成されている。このように、実施の形態４では、香気孔は、水平方向において互いに全く重ならない（完全にシフトした）位置にある第１の非垂直香気孔１３３と第２の非垂直香気孔１６１との組み合わせからなる。なお、第１の非垂直香気孔は、主要部の基準面となる水平面と略直交する面以外の面に沿って延びるよう形成された貫通孔からなるものであればよい。また、第２の非垂直香気孔は、第１の非垂直香気孔より上方位置で、かつ、第１の非垂直香気孔と水平方向に完全にずらした位置に配置され、前記主要部の基準面と略直交する面以外の面に沿って延びるよう形成された貫通孔からなる第２の非垂直香気孔との組み合わせからなるものであればよい。
【００３０】
飲料の飲用時には、図１６に示すように、下側蓋部１１０に対して上側蓋部１４０を相対回転し、上側蓋部１４０の開口１５１から下側蓋部１１０の飲み口１２５全体を露出する。すると、上側蓋部１４０の第２の非垂直香気孔１６１が下側蓋部１１０の香気口１３４の後端部の空間と対向する。これにより、容器部１内の飲料の香気が、第１の非垂直香気孔１３３から第２の非垂直香気孔１６１を通って外部に十分に放散される。このとき、容器部１が揺れたりして、容器部１内の飲料が第１の非垂直香気孔１３３から外部に飛散した場合でも、その上方に位置する上側蓋部１４０が飛散した飲料を確実に遮断する。一方、飲料の非飲用時には、図１７に示すように、下側蓋部１１０に対して上側蓋部１４０を図１３の開状態から９０度相対回転して閉状態とする。すると、上側蓋部１４０の開口１５１の側方部分の頂壁１４３が下側蓋部１１０の飲み口１２５全体を覆う。また、上側蓋部１４０の第２の非垂直香気孔１６１の側方部分の頂壁１４３が下側蓋部１１０の香気口１３４全体を覆う。したがって、非使用時には、飲み口１２４及び香気口１３４の全体が外部から遮蔽され、飲料の外部への漏れを確実に防止することができ、飲料の保温効果も高い。また、頂壁１４３が飲み口１２４を完全に遮蔽するため、衛生的である。更に、係合突部１４５が係止凹部１１５と係合して上側蓋部１４０を３箇所の所定角度位置に位置決めするため、上側蓋部１４０を下側蓋部１１０の所定位置に緩みなく保持することができる。また、香気口１３４は、実施の形態１〜３と同様、後壁１３２が下方に傾斜する凹部上であるため、香気口１３４内で飲料が蒸気となって結露したり、振動で容器部１内の飲料が第１の非垂直香気孔１３３から香気口１３４内に漏れ出た場合でも、その傾斜面に沿って第１の非垂直香気孔から飲料を容器部１内に円滑に戻すことができる。また、実施の形態１〜３と同様、第１の非垂直香気孔１３３が主要部の中央部に配置されるため、飲料容器を大きく傾けても、容器部１内の飲料が第１の非垂直香気孔１３３から外部に漏れ出るおそれが少ない。また、容器部１内の飲料が第１の非垂直香気孔１３３から外部に漏れ出た場合でも、互い違いの位置にある第２の非垂直香気孔１６１により確実に遮断され、外部に漏れ出る可能性は低い。
【００３１】
実施の形態６：２ピース構造の第２例
図１８〜図１９に示すように、実施の形態６の飲料容器の蓋は、主要部として、下側蓋部１７０と上側蓋部１９０を備えた２ピース構成である。下側蓋部１７０は、外周縁部１７１に周壁１７２を立ち上げ形成したキャップ状である。下側蓋部１７０は、直線状の凹溝１７３より前側に上方に突出する凸部状の飲み口１７４を形成している。飲み口１７４の左右中央には貫通孔としての連通孔１７５が形成されている。凹溝１７３の後側は、上側蓋部１９０を装着する部分であり、周壁として、凹溝１７３に沿って延びる直線板状の前傾斜壁１８１と、前傾斜壁１８１の両端を結ぶ円弧板状の後傾斜壁１８３とを備えている。前傾斜壁１８１及び後傾斜壁１８３の上端の頂壁１８２には、複数（３個）の円形の貫通孔である第１の非垂直香気孔１８４が凹溝１７３と平行となるよう、かつ、互いに等間隔で形成されている。上側蓋部１９０は、前傾斜壁１８１及び後傾斜壁１８３に外嵌して装着される周壁１９１を備えている。周壁１９１の上端の頂壁１９２には、後側の周縁に沿った所定範囲に、円弧状となる第２の非垂直香気孔１９３が貫通形成されている。このように、実施の形態５では、香気孔は、水平方向において互いに全く重ならない（完全にシフトした）位置にある第１の非垂直香気孔１８４と第２の非垂直香気孔１９３との組み合わせからなる。
【００３２】
実施の形態７：３ピース構造
図２０〜図２１に示すように、実施の形態７の飲料容器の蓋は、主要部として、下側蓋部２００と中間蓋部２１０と上側蓋部２２０を備えた３ピース構成である。下側蓋部２００は前記下側蓋部１７０とほぼ同様の構成である。凹溝１７３の後側は、中間蓋部２１０を装着する部分であり、頂壁２０２及び周壁２０３を備えている。頂壁２０２には、前記第２の非垂直香気孔１９３と同様の範囲に同様の形状の第１の非垂直香気孔２０４が貫通形成されている。中間蓋部２１０は、上側蓋部２２０を装着する部分であり、周壁２１１及び頂壁２１２を備えている。頂壁２１２には、前記第１の非垂直香気孔１８４と同様の範囲に同様の形状の第１の非垂直香気孔２１３が同様の個数だけ貫通形成されている。上側蓋部２２０は、周壁２２１及び頂壁２２２を備えている。頂壁２２２には、前記第２の非垂直香気孔１９３と同様の範囲に同様の形状の第３の非垂直香気孔２２３が貫通形成されている。このように、実施の形態６では、香気孔は、水平方向において互いに全く重ならない（完全にシフトした）位置にある第１の非垂直香気孔２０４、第２の非垂直香気孔２１３及び第３の非垂直香気孔２２３の組み合わせからなる。なお、第１の非垂直香気孔２０４と第３の非垂直香気孔２２３とは整合する位置にあるが、第２の非垂直香気孔２１３がそれらの間にあるため、結果的に、第１〜第３の非垂直香気孔２０４，２１３，２２３は、相互の関係としては、水平方向において互いに全く重ならない（完全にシフトした）位置にあるといえる。
【００３３】
実施の形態８：２ピース構造の第３例
図２２〜図２３に示すように、実施の形態８の飲料容器の蓋は、主要部として、下側蓋部２３０と上側蓋部２４０を備えた２ピース構成である。下側蓋部２３０は前記下側蓋部１７０とほぼ同様の構成である。凹溝１７３の後側は、上側蓋部２４０を装着する部分であり、周壁として、凹溝１７３に沿って延びる直線板状の前傾斜壁２３１と、前傾斜壁２３１の両端を結ぶ円弧板状の後傾斜壁２３４とを備えている。前傾斜壁２３１及び後傾斜壁２３４の上端の頂壁は、前傾斜壁２３１から後方へと若干下方に傾斜して延びる前水平板２３２と、後傾斜壁２３４から前方へと若干下方に傾斜して延びる後水平板２３３とからなる。前水平板２３２の後端部が後水平板２３３の前端部の下方に若干の間隔を置いて配置されるよう、前水平板２３２と後水平板２３３とが上下に互い位置に配置されている。前水平板２３２の後端と後水平板２３３の前端との間の空間により、第１の非垂直香気孔が形成される。なお、この第１の非垂直香気孔は、前水平板２３２の後端位置または後水平板２３３の前端位置で見た場合、垂直方向に延びる垂直香気孔として把握することもできる。上側蓋部２４０は、前傾斜壁２３１及び後傾斜壁２３４に外嵌して装着される周壁２４１を備えている。周壁２４１の上端の頂壁２４２には、前記第２の非垂直香気孔１９３と同様の範囲に同様の形状の第２の非垂直香気孔２４３が貫通形成されている。このように、実施の形態７では、香気孔は、水平方向において互いに全く重ならない（完全にシフトした）位置にある第１の非垂直香気孔（前水平板２３２の後端と後水平板２３３の前端との間の空間）と第２の非垂直香気孔２４３との組み合わせからなる。このように、実施の形態８の飲料容器の蓋は、前水平板２３２と後水平板２３３との間の空間を垂直香気孔として把握することができ、上側蓋部２４０を省略しても実施の形態１〜３と同様の効果を発揮する。即ち、本発明の垂直香気孔は、実施の形態１〜３のように完全に垂直に延びる場合以外にも、香気孔からの飲料の飛び出しを実質的に防止できる限りにおいて、垂直面から若干傾斜して延びる場合も含む。特に、実施の形態８のように、香気孔の下端（前水平板の先端）が上端（後水平板の先端）よりも奥側に位置する場合、即ち、実施の形態１〜３において、下端が上端よりも奥側に位置する傾斜状の香気孔壁とした場合、同様に、香気孔が上方から全く目視確認できない孔となり、容器部１内の飲料の外部への飛び出しを確実に防止できるため、その傾斜角度を大きくしても発明の課題を完全に達成することができる。
【００３４】
上記各飲料容器の蓋は、熱可塑性樹脂を典型とする材料からなる所定の粉体材料や可塑性材料を、上記各ピース形状となるよう、プレス成形、射出成形、真空成形、ブロー成形等により一体成形することにより製造される。特に、実施の形態１〜４の飲料容器の蓋は、１ピース構造であり、かつ、従来の成形方法による一体成形が可能なため、量産性、省資源性、及びコスト性に優れる。
【産業上の利用可能性】
【００３５】
本発明の飲料容器の蓋は、使い捨てコーヒーカップの蓋の他、使い捨てスープ用カップ等、飲料の香気が飲用者の味覚や嗜好にとって重要な要素となる飲料の容器に適用することができる。
【符号の説明】
【００３６】
１：容器部（容器）、１１：外周縁部、１２：周壁（主要部）、１３：頂壁（主要部）
２４：連通孔、２５：飲み口、３１：前垂下壁（前壁部）、３２：前傾斜壁（前壁部）
３３：側壁、３４：後傾斜壁（傾斜壁、後壁部）、３５：香気孔（垂直香気孔）
３６：香気口、  ４１：前垂下壁（前壁部）、４２：前傾斜壁（前壁部）
４４：後傾斜壁（傾斜壁、後壁部）、５１：前傾斜壁（前壁部）
５２：後傾斜壁（傾斜壁、後壁部）
６０：キャップ部、６１：連結部、６２：香気口閉塞部、６７：飲み口閉塞部
１１０：下側蓋部、１４０：上側蓋部
１３３：第１の非垂直香気孔、１６１：第２の非垂直香気孔
１７０：下側蓋部（主要部）、１９０：上側蓋部（主要部）
１８４：第１の非垂直香気孔、１９３：第２の非垂直香気孔
２００：下側蓋部（主要部）、２１０：中間蓋部（主要部）、２２０：上側蓋部（主要部）
２０４：第１の非垂直香気孔、２１３：第２の非垂直香気孔
２２３：第３の非垂直香気孔、２３０：下側蓋部（主要部）、２４０：上側蓋部（主要部）
２４３：第２の非垂直香気孔
【図１】
2010274965.tif 000003
【図２】
2010274965.tif 000004
【図３】
2010274965.tif 000005
【図４】
2010274965.tif 000006
【図５】
2010274965.tif 000007
【図６】
2010274965.tif 000008
【図７】
2010274965.tif 000009
【図８】
2010274965.tif 000010
【図９】
2010274965.tif 000011
【図１０】
2010274965.tif 000012
【図１１】
2010274965.tif 000013
【図１２】
2010274965.tif 000014
【図１３】
2010274965.tif 000015
【図１４】
2010274965.tif 000016
【図１５】
2010274965.tif 000017
【図１６】
2010274965.tif 000018
【図１７】
2010274965.tif 000019
【図１８】
2010274965.tif 000020
【図１９】
2010274965.tif 000021
【図２０】
2010274965.tif 000022
【図２１】
2010274965.tif 000023
【図２２】
2010274965.tif 000024
【図２３】
2010274965.tif 000025